(57)【要約】【課題】振動板の重量バランス、剛性等が不均一になることがなく、また、振動板の異常音も防止し、かつボイスコイルリード線の引出処理を容易とし、耐入力性も向上させた小型スピーカのボイスコイルリード線の引出処理方法およびその小型スピーカを提供する。【解決手段】この発明は、フレーム７にリード線引出用の窓７ｄを形成し、引出しを容易とした。また、ボイスコイルリード線５ａの振幅に対し充分な長さに曲線を形成する作業を容易とするために窓７ｄの近くに引出したボイスコイルリード線５ａを位置決めしつつ仮固定するためのリブ１１を設けた。さらに、ボイスコイルリード線５ａの動きを制動するためにフレーム７と別部品であるフレームカバー１２を窓７ｄの背面側に設ける構成とした。【選択図】  図１
2004336224.tif 000002
【特許請求の範囲】
【請求項１】
フレーム（７）内に設けられたボイスコイル（５）のボイスコイルリード線（５ａ）を前記フレーム（７）内の空間部分において振幅に対し充分な長さに曲線を形成し、かつ前記フレーム（７）の本体（７ａ）に形成されたリード線引出し窓（７ｄ）から背面側に引出し、背面に設けられた位置決め用のリブ（１１）を介し位置決めし、前記リード線引出し窓（７ｄ）を前記本体（７ａ）の背面側に設けるフレームカバー（１２）で覆うことを特徴とする小型スピーカのボイスコイルリード線の引出し処理方法。
【請求項２】
内側に、磁気回路、振動板（６）およびボイスコイル（５）が配設されるフレーム（７）の本体（７ａ）に、この本体（７ａ）の空間部分において前記ボイスコイル（５）のボイスコイルリード線（５ａ）を振幅に対し充分な長さに曲線を形成し、そのボイスコイルリード線（５ａ）を背面に引出すリード線引出し用の窓（７ｄ）を形成し、この窓（７ｄ）の近傍に前記本体（７ａ）の背面側に引出されたボイスコイルリード線（５ａ）を位置決めして支持するリブ（１１）を形成し、かつ前記窓（７ｄ）の背面側にフレームカバー（１２）を設けることを特徴とする小型スピーカ。
【発明の詳細な説明】
【０００１】
【発明の属する技術分野】
本発明は小型スピーカに関し、特に携帯電話機やノートパソコン等に搭載して用いられる小型スピーカのボイスコイルリード線の引出し処理方法および小型スピーカに関する。
【０００２】
【従来の技術】
一般に小型スピーカに使用されるボイスコイルワイヤーは極度に細いため、スピーカに音声信号が入力されると、ボイスコイルリード線はボイスコイルの駆動に伴い、屈曲が繰り返し起こり断線に至ってしまう。
【０００３】
このボイスコイルリード線はボイスコイルから外部に向って引出されるが、その処理方法としては、種々提案されている。
【０００４】
図３は従来のスピーカのボイスコイルリード線の引出処理の平面図を示すものであり（以下、従来例１という）、振動板２０の形状に沿ってボイスコイル２１のボイスコイルリード線２１ａを這わせた後、リード線形成部ａとリード線引出し部ｂに接着剤を塗布してボイスコイルリード線２１ａを保護して振動板２０に固定するようにしている。
【０００５】
この従来例１では、ボイスコイル２１が駆動してボイスコイルリード線２１ａに振動が伝わり、リード線形成部ａが振動板２０の振幅に伴ってボイスコイルリード線２１ａの屈曲は起こるが、振動板２０と一体となっているために振幅による屈曲の疲労度合いを軽減しているので、ボイスコイルリード線２１ａの断線を防止することができる。
【０００６】
また、他の従来例としては、図４（ａ）、（ｂ）に示すように、ボイスコイル２１のボイスコイルリード線２１ａを振動板２０に這わせず浮かした状態で外部まで引出して固定する方法がある（以下、従来例２という）。
【０００７】
この従来例２では、振動板２０の重量バランスと剛性バランスを維持することが出来、振動板２０の分割共振によるローリング現象が起きにくくなり、振動板２０の異常共振も起きにくくなる。また、スピーカに大きな入力を入れた場合も同様に、ローリング現象や異常共振が起きにくいので、耐入力増大に繋がる、といった利点がある。
【０００８】
【発明が解決しようとする課題】
しかし従来例１においては、振動板２０上に形成したリード線形成部ａのボイスコイルリード線２１ａとこのボイスコイルリード線２１ａを保護している接着剤ｂの重量分が増えることにより、振動板２０の重量バランスが不均一になるため、ローリング現象が発生しやすくなる。また、振動板２０の剛性バランスも不均一になるため、振動板２０の分割共振による異常共振が発生しやすくなり、スピーカ自身の歪みが増えるという課題がある。
【０００９】
また、スピーカの入力を大きくして使用した場合、ボイスコイル２１にかかる駆動力が増大すると共に振動板２０の振幅量が増える。この場合、異常共振が起き易くなって異常音が出やすくなる。また、振動板２０の屈曲疲労が増えることでボイスコイルリード線２１ａが断線する可能性も増大する、という課題もある。
【００１０】
従来例２においては、ボイスコイル２１が駆動した時に伝わってくる振動に伴ってボイスコイルリード線２１ａ自身に共振が起こり易く、その時にボイスコイルリード線２１ａがヨーク・フレームに当たる可能性がある。また、極細のボイスコイルワイヤーを使用すると屈曲断線する可能性が高いので、少し太目のボイスコイルワイヤー（錦糸線等）に変える必要がある。また、この方式の作業面を考えるとボイスコイルリード線２１ａを空間内に安定して曲線を形成する工程が困難である、という課題がある。
【００１１】
この発明は上記のことに鑑み提案されたもので、その目的とするところは、振動板の重量バランス、剛性等が不均一になることがなく、また、振動板の異常音も防止し、かつボイスコイルリード線の引出処理を容易とし、耐入力性も向上させた小型スピーカのボイスコイルリード線の引出処理方法およびその小型スピーカを提供することにある。
【００１２】
【課題を解決するための手段】
この発明は、上記の目的を達成するために、フレーム７内に設けられたボイスコイル５のボイスコイルリード線５ａを前記フレーム７内の空間部分において、振幅に対し充分な長さに曲線を形成し、かつ前記フレーム７の本体７ａに形成されたリード線引出し窓７ｄから背面側に引出し、背面に設けられた位置決め用のリブ１１を介し位置決めし、前記リード線引出し窓７ｄを前記本体７ａの背面側に設けるフレームカバー１２で覆う構成としている。
【００１３】
また、この小型スピーカは、内側に、磁気回路、振動板６およびボイスコイル５が配設されるフレーム７の本体７ａに、この本体７ａの空間部分において前記ボイスコイル５のボイスコイルリード線５ａを振幅に対し充分な長さに曲線を形成し、そのボイスコイルリード線５ａを背面に引出すリード線引出し用の窓７ｄを形成し、この窓７ｄの近傍に前記本体７ａの背面側に引出されたボイスコイルリード線５ａを位置決めして支持するリブ１１を形成し、かつ前記窓７ｄの背面側にフレームカバー１２を設けた構成としている。
【００１４】
【発明の実施の形態】
以下、図面に沿って本発明を説明する。
【００１５】
【実施例】
図１（ａ）は本発明にかかる小型スピーカの一実施例の斜視図、（ｂ）はその要部拡大斜視図、図２は本発明の一実施例の組立状態の概略縦断面図を示す。
【００１６】
これらの図中１は周壁１ａを有するヨークで、周知のように内部には円板状のマグネット２が設けられ、このマグネット２の先端部にプレート（図示せず）が設けられ、プレートの外周面とヨーク１の周壁１ａの対向面間に磁気ギャップ３が形成され、この磁気ギャップ３にボイスコイルボビン４の外周に巻回されたボイスコイル５が位置されている。
【００１７】
ボイスコイル５を有するボイスコイルボビン４には樹脂製の振動板６の中央部が結合され、振動板６の外周部はフレーム７の外端部内側に結合され、ボイスコイル５は磁気ギャップ３間に振動可能に配設されている。
【００１８】
フレーム７はほぼリング状をなす皿状の本体７ａと、その外周部において立ち上った周壁部７ｂとからなり、この周壁部７ｂの外端部内側に支持部材８を介し振動板６の外周部が結合されている。
【００１９】
また、フレーム７の本体７ａの中央部に形成された円形の開口部にヨーク１が組み込まれる。
【００２０】
また、フレーム７の本体７ａには例えば弧状をなす通気用の窓７ｃが形成されている。また、本体７ａにはボイスコイル５の巻始め、巻終わりのボイスコイルリード線５ａをフレーム７の背面側に引出すための一対の窓７ｄが離間して形成されている。
【００２１】
この一対のリード線引出用の窓７ｄの間には凹状の端子取付部９が形成され、この端子取付部９に導電性部材からなる一対の端子部１０が互いに間隙を介し絶縁されて配置されている。これらの端子部１０の外側の中央部にはそれぞれ位置決め用の切欠き１０ａが形成され、本体７ａの背面外周部に突設された突部７ｅにそれぞれ位置合わせしつつ本体７ａ背面の所定位置に各端子部１０は取付けられる。
【００２２】
また、端子取付部９と各リード線引出用の窓７ｄとの間にはリード線位置決め用のリブ１１がそれぞれ突設されている。これらのリブ１１は本体７ａの径方向に向って突設され、リブ１１のほぼ中央部にはボイスコイルリード線５ａを端子部１０側へ引出し案内し、かつボイスコイルリード線５ａを位置決めして挟持して支持する位置決め兼支持用の溝１１ａが形成されている。
【００２３】
また、リード線引出し用の窓７ｄには本体７ａの背面側からフレームカバー１２を接着剤によって取付け可能となっている。このフレームカバー１２はリブ１１近傍に設けられ、かつリード線引出し用の窓７ｄを塞ぐに足る大きさ、形状をなし、例えば樹脂の成形品等にて形成されている。
【００２４】
本体７ａとは別部品からなるこのフレームカバー１２は、リード線引出し用の窓７ｄから引出され、位置決め兼支持用の溝１１ａに挿通され支持されているボイスコイルリード線５ａの動きを制動するために設けられるものである。
【００２５】
次に本発明の小型スピーカの組立例について説明する。
【００２６】
ヨーク１にマグネット２、プレート等を順次組み込み磁気回路を形成する。
【００２７】
そのヨーク１の周壁１ａの外端部にフレーム７を接着剤を介して取付ける。
【００２８】
一方、振動板６とボイスコイル５を有するボイスコイルボビン４とを接着して一体化し、かつボイスコイル５を磁気ギャップ３の所定位置に配設させ、振動板６の外周部をフレーム７に取付ける。
【００２９】
フレーム７本体７ａの背面側からリード線の引出用の窓７ｄを介し治具を用いてボイスコイルリード線５ａをつかみ空間部分においてフォーミングし、すなわち振幅に対し充分な長さに曲線を形成し、かつ外部に引出しボイスコイルリード線５ａをリード線位置決め用のリブ１１の位置決め兼支持用の溝１１ａを介し引出し、端子部１０に半田付け接続する。
【００３０】
上記作業において、ボイスコイルリード線５ａは位置決め兼支持用の溝１１ａに支持するため、フォーミング作業を容易に行うことができ、また半田付け作業も容易、かつ迅速に行うことができる。
【００３１】
ついで、空間部分にフォーミングされたボイスコイルリード線５ａの制動を行うためにリード線引出用の窓７ｄ、リブ１１近傍にフレームカバー１２を取付ける。
【００３２】
すなわち、ボイスコイル５に加わる入力が大きい場合、振動板６の振幅が大きいので、ヨーク１やフレーム７等の周囲の部品にボイスコイルリード線５ａが当たって異常音が出る可能性がある。これを防止するために振動板６の振幅およびボイスコイルリード線５ａの動きを制動するためにフレームカバー１２が取付けられる。この時、フレームカバー１２はフレーム背面側に取付けられるため、フレームカバー１２の内面はフレーム７の内面より外側に位置するため、ボイスコイルリード線５ａと接触することはない。
【００３３】
【発明の効果】
以上のように本発明によれば、フレーム７に形成したリード線引出用の窓７ｄからボイスコイルリード線５ａをフォーミングしつつ背面側に引出すようにしており、ボイスコイルリード線５ａは振動板６から浮かせてフォーミングするため、振動板６の重量、剛性等のバランス不均一を防止でき、また、ヨーク１やフレーム７等に接触せず異常音の発生を防止でき、かつリード線引出用の窓７ｄを介しフォーミング作業や外部へ引出すといった作業を背面側から容易に行うことができる。
【００３４】
また、リード線引出用の窓７ｄから背面側に引出されたボイスコイルリード線５ａを背面側に設けた位置決め用のリブ１１によって位置決めして支持しつつ半田付けするようにしたため、半田付け作業を容易、かつ迅速確実に行うことができる。
【００３５】
また、リード線引出し用の窓７ｄにフレーム７と別体のフレームカバー１２を設け、このフレームカバー１２はその内面がフォーミングされたボイスコイルリード線５ａと接触しないようにフレーム７の背面側に設けるようにしたため、耐入力性が向上し、かつ異常音の発生を防止できる。
【図面の簡単な説明】
【図１】（ａ）は本発明の一実施例の小型スピーカを背面側から見た斜視図、（ｂ）は要部拡大斜視図を示す。
【図２】本発明の一実施例の組立状態の概略縦断面図を示す。
【図３】一従来例の平面図を示す。
【図４】（ａ）は他の従来例の背面側から見た斜視図、（ｂ）はその概略縦断面図を示す。
【符号の説明】
１      ヨーク
１ａ    周壁
２      マグネット
３      磁気ギャップ
４      ボイスコイルボビン
５      ボイスコイル
５ａ    ボイスコイルリード線
６      振動板
７      フレーム
７ａ    本体
７ｂ    周壁部
７ｃ    通気用の窓
７ｄ    リード線引出し用の窓
７ｅ    突部
８      支持部材
９      端子取付部
１０    端子部
１０ａ  切欠き
１１    リード線位置決め用のリブ
１１ａ  位置決め兼支持用の溝
１２    フレームカバー
【図１】
2004336224.tif 000003
【図２】
2004336224.tif 000004
【図３】
2004336224.tif 000005
【図４】
2004336224.tif 000006